(57)【要約】【課題】ＮＷストレージサーバ３に保存されたデータにアクセスするためのアクセス用情報が携帯電話機６に送られてきたときであっても、データに対する安全性を維持しつつ、簡単な操作でデータを正常に閲覧等できるようにする。【解決手段】携帯電話機６が、アクセス用情報を含む電子メールを受信する受信手段と、受信された電子メールのアクセス用情報を表示する表示手段とを有する。また、アクセス用情報読み取り端末７が、携帯電話機６の表示手段によるアクセス用情報の表示を撮像する撮像手段と、撮像により得られた画像データを解析してアクセス用情報を取得するアクセス用情報取得手段と、取得されたアクセス用情報を用いてＮＷストレージサーバ３に保存されたデータへアクセスする通信手段とを有する。【選択図】        図１
2005010867.tif 000002
【特許請求の範囲】
【請求項１】
ネットワークストレージサーバに保存されたデータへアクセスするためのアクセス用情報の表示を撮像する撮像手段と、
この撮像手段により得られた画像データを解析して前記アクセス用情報を取得するアクセス用情報取得手段と、
取得された前記アクセス用情報を用いて前記ネットワークストレージサーバに保存された前記データへアクセスする通信手段と
を備えたことを特徴とするデータアクセス装置。
【請求項２】
請求項１に記載されたデータアクセス装置において、
前記アクセス用情報は、バーコードを含む情報であることを特徴とするデータアクセス装置。
【請求項３】
ネットワークストレージサーバに保存されたデータへアクセスするためのアクセス用情報を生成するアクセス用情報管理サーバと、
前記アクセス用情報の表示を撮像する撮像手段と、この撮像手段により得られた画像データを解析して前記アクセス用情報を取得するアクセス用情報取得手段と、取得された前記アクセス用情報を用いて前記ネットワークストレージサーバに保存された前記データへアクセスする通信手段とを有するデータアクセス端末と
を備えたことを特徴とするデータアクセスシステム。
【請求項４】
ネットワークストレージサーバに保存されたデータへアクセスするためのアクセス用情報の表示をカメラが接続された端末で撮像する第１のステップと、
撮像して得られた画像データを前記端末で解析して前記アクセス用情報を取得する第２のステップと、
取得された前記アクセス用情報を用いて前記ネットワークストレージサーバに保存された前記データへ前記端末よりアクセスする第３のステップと
を備えたことを特徴とするデータアクセス方法。
【請求項５】
ネットワークストレージサーバに保存されたデータへアクセスするためのアクセス用情報の表示を撮像する撮像機能と、
撮像して得られた画像データをパターン解析する解析機能と、
記憶手段に格納されている翻訳用情報を参照し、前記画像データの解析結果をアクセス用情報に翻訳する翻訳機能と、
翻訳されたアクセス用情報を用いて前記ネットワークストレージサーバに保存された前記データへアクセスする通信機能
をコンピュータに実現させるためのプログラム。
【請求項６】
請求項５記載されたプログラムにおいて、
カメラが接続されたコンピュータにインストールされるプログラム。
【発明の詳細な説明】
【０００１】
【発明の属する技術分野】
本発明は、データアクセス装置に関し、特に、ネットワークストレージサーバに保存されたデータへアクセスするためのアクセス用情報を利用するデータアクセス装置に関する。
【０００２】
【従来の技術】
従来、ネットワークストレージサーバ（以下「ネットワーク」を「ＮＷ」と略記する）に保存されたデータ（テキストファイル、画像ファイル、映像ファイル、音声ファイル、ＤＢ等）には、ＩＤとパスワードを事前にＮＷストレージサーバに登録することによりアクセス（表示、再生、利用、閲覧等）することができる（例えば、特許文献１を参照）。
また、ＮＷストレージサーバのデータにアクセスするためのＵＲＬ（Ｕｎｉｆｏｒｍ  Ｒｅｓｏｕｒｃｅ  Ｌｏｃａｔｏｒｓ）が本文に書かれた電子メールをデータ登録者から送信してもらい、そのＵＲＬを受信メールからメールプログラムで取り出し、メモリ空間に保存してブラウザのホームページアクセス用関数の引数として引き渡すことにより、ＮＷストレージサーバのデータにアクセスすることができる。
【０００３】
なお、上述した従来技術のうちＵＲＬをブラウザに引き渡す方法でＮＷストレージサーバにアクセスする技術に関して、出願人が出願時点で知る限りにおいて公知文献はない。
また、出願人は、本明細書に記載した先行技術文献情報で特定される先行技術文献以外には、本発明に関連する先行技術文献を出願時までに発見するには至らなかった。
【０００４】
【特許文献１】
特開２００２−２１８１４６号公報
【０００５】
【発明が解決しようとする課題】
しかし、従来のＵＲＬをブラウザに引き渡す方法でＮＷストレージサーバにアクセスするには、次のような問題があった。
（１）アクセス用のＵＲＬが書かれた電子メールをモバイル端末で受信し、ＵＲＬをモバイル端末に装備しているブラウザに引き渡しデータにアクセスした場合、ＮＷストレージサーバに保存されたデータの種類によっては、モバイル端末の表示能力の制限により正常に表示できないことや、画面サイズの制限によりゆがんで見えること等の問題があった。この問題は、データを正常に表示・再生・利用・閲覧等ができる端末へ電子メールを転送することで回避できる。しかし、出張先や街中にいるときなど、電子メールを転送しデータを閲覧等することができる端末が手近にない場合には、緊急にデータを閲覧等することができなかった。
【０００６】
（２）また、一般にモバイル端末での電子メール転送はパソコン等での電子メール転送よりも操作手順が多いため、このような使い勝手上の問題にデータ閲覧者は対処しなければならなかった。
（３）そもそも、アクセス用のＵＲＬが書かれた電子メールをデータ登録者から送信してもらうには、電子メールを受信できる端末を用いなければならないという問題があった。
（４）上記（２），（３）の理由から、データ登録者はモバイル端末への電子メール送信をあきらめるケースも多いという問題があった。
（５）このため、データ登録者はモバイル端末以外でＮＷストレージサーバに保存されたデータを閲覧等でき、かつ電子メール受信が可能な端末に向けて電子メールを送信することで対処していたので、モバイル端末に電子メールを送った場合ほど早くにはデータ登録の事実をデータ閲覧者に対して知らせることもできなかったし、データ閲覧者はデータ受信することもできないという問題もあった。
【０００７】
（６）一方、データ閲覧者が電子メールを受信できるモバイル端末と、データを正常に閲覧等できる固定端末とを有するものの、固定端末が電子メールを受信できない場合、固定端末でデータにアクセスするには、データ閲覧者がアクセス用のＵＲＬを表示したモバイル端末のディスプレイを見ながら、そのＵＲＬを固定端末のブラウザのＵＲＬ入力欄にキーボードを用いて手入力しなければならなかった。ＵＲＬはＮＷストレージサーバのデータを不正なアクセスから保護するための暗号化された情報であるがゆえ、図８に示すような意味のない、しかも文字長が長い文字列で構成されている。このため、ＵＲＬを間違えずに手入力するのは困難であり、ＵＲＬを手入力してデータにアクセスするという方法は現実的ではなかった。
（７）ここで、ＵＲＬを容易に手入力できるように、ＵＲＬを簡素化し、文字長を短くすることも考えられる。しかし、ＵＲＬを簡素化すると、ＮＷストレージサーバのデータに対する安全性が低下するという問題があった。
【０００８】
本発明はこのような課題を解決するためになされたものであり、その目的は、ＮＷストレージサーバのデータにアクセスするための情報が外出先でモバイル端末に送られてきたときであっても、いち早くデータを正常に閲覧等できるようにすることにある。
また、他の目的は、ＮＷストレージサーバのデータにアクセスするための情報がモバイル端末に送られてきたときであっても、データに対する安全性を維持しつつ、簡単な操作でデータを正常に閲覧等できるようにすることにある。
【０００９】
【課題を解決するための手段】
このような目的を達成するために、本発明のデータアクセス装置は、ＮＷストレージサーバに保存されたデータへアクセスするためのアクセス用情報の表示を撮像する撮像手段と、この撮像手段により得られた画像データを解析してアクセス用情報を取得するアクセス用情報取得手段と、取得されたアクセス用情報を用いてＮＷストレージサーバに保存されたデータへアクセスする通信手段とを備えたことを特徴とする。
ここで、アクセス用情報は、バーコードを含む情報であってもよい。
【００１０】
また、本発明のデータアクセスシステムは、ＮＷストレージサーバに保存されたデータへアクセスするためのアクセス用情報を生成するアクセス用情報管理サーバと、アクセス用情報の表示を撮像する撮像手段と、この撮像手段により得られた画像データを解析してアクセス用情報を取得するアクセス用情報取得手段と、取得されたアクセス用情報を用いてＮＷストレージサーバに保存されたデータへアクセスする通信手段とを有するデータアクセス端末とを備えたことを特徴とする。
【００１１】
また、本発明のデータアクセス方法は、ＮＷストレージサーバに保存されたデータへアクセスするためのアクセス用情報の表示をカメラが接続された端末で撮像する第１のステップと、撮像して得られた画像データを端末で解析してアクセス用情報を取得する第２のステップと、取得されたアクセス用情報を用いてＮＷストレージサーバに保存されたデータへ端末よりアクセスする第３のステップとを備えたことを特徴とする。
【００１２】
また、本発明のプログラムは、ＮＷストレージサーバに保存されたデータへアクセスするためのアクセス用情報の表示を撮像する撮像機能と、撮像して得られた画像データをパターン解析する解析機能と、記憶手段に格納されている翻訳用情報を参照し、画像データの解析結果をアクセス用情報に翻訳する翻訳機能と、翻訳されたアクセス用情報を用いてＮＷストレージサーバに保存されたデータへアクセスする通信機能をコンピュータに実現させるためのプログラムである。
このプログラムは、カメラが接続されたコンピュータにインストールされるプログラムであってもよい。
【００１３】
【発明の実施の形態】
以下、本発明の一実施の形態について、図面を参照して詳細に説明する。
図１は、本発明の一実施の形態に係るデータアクセスシステムの全体構成を示す図である。このデータアクセスシステムは、データ登録者（Ａさん）のパーソナルコンピュータ（以下「パーソナルコンピュータ」を「ＰＣ」と略記する）と、Ｗｅｂサーバ２と、ＮＷストレージサーバ３と、メールサーバ４と、アクセス用情報管理サーバ５と、データ閲覧者（Ｂさん）の携帯電話機６と、アクセス用情報読み取り端末（データアクセス装置）７とから構成されている。
【００１４】
ここで、データ登録者のＰＣ１は、データ登録者がＮＷストレージサーバ３にデータを登録するために使用するＰＣであり、インターネット等のデータ通信網に接続可能となっている。
Ｗｅｂサーバ２は、ＮＷストレージサーバサービスのユーザーインターフェースを提供するサーバであり、ＮＷストレージサーバ３、メールサーバ４、アクセス用情報管理サーバ５のそれぞれと通信可能となっている。
【００１５】
ＮＷストレージサーバ３は、データ登録者から送信されるデータをそのデータ名等の情報に対応付けて記録することにより、データ登録を行うサーバである。ＮＷストレージサーバ３には、上記データとして、映像、画像、アプリケーションデータ、アプリケーションの設定データ等を登録することができる。ＮＷストレージサーバ３はまた、登録されているデータへアクセスするためのアクセス用情報を作成する。アクセス用情報は、データの保存先の情報（サーバ情報）、データ名、ファイル名、ディレクトリ名、設定情報、ユーザー名、ＩＤ、パスワード等を示すデータから構成される。このうち、データの保存先の情報を除く情報は暗号化される。
メールサーバ４は、ユーザーに対して通知メール等を送信するサーバである。
【００１６】
アクセス用情報管理サーバ５は、Ｗｅｂサーバ２からの要求に応じて、ＮＷストレージサーバ３で作成されたアクセス用情報を携帯電話機のディスプレイに表示できる形式の情報に変換し、変換されたアクセス用情報をＷｅｂサーバ２に返信するサーバである。アクセス用情報は、形式が変換された結果、携帯電話機のディスプレイに、バーコード、文字列（ＵＲＬ）、電子透かし等が入った静止画像、または所定領域の色や形状が変化していく動画像等として表示される。バーコードが入った静止画像として表示される例を図２に示す。この画像は、後述するように、アクセス用情報読み取り端末７で撮像および画像解析される。よって、撮像すべき領域を明確にするために、バーコード６Ａ等のアクセス用情報の周りに所定の太さの枠６Ｂを表示してもよい。また、撮像されたアクセス用情報の画像の大きさと回転方向のずれを補正できるように、アクセス用情報の大きさおよび方向を示す２つのマーク６Ｃ１，６Ｃ２を表示してもよい。マーク６Ｃ１と６Ｃ２とは、区別可能なように形状、色、模様等が相互に異なっている。
【００１７】
データ閲覧者の携帯電話機６は、少なくとも、電子メールを受信する受信部と、電子メールの本文に書かれたアクセス用情報を表示するディスプレイ６１とを有する。携帯電話機６には、アクセス用情報をはっきりと表示できる解像度や表示速度等の処理能力が必要である。なお、携帯電話機の代わりにＰＤＡ（Ｐｅｒｓｏｎａｌ  Ｄｉｇｉｔａｌ  Ａｓｓｉｓｔａｎｔ）等のモバイル端末を用いてもよい。
【００１８】
アクセス用情報読み取り端末７は、カメラ付きＰＣで構成され、ＮＷストレージサーバ３に保存されたデータを正しく閲覧等することができる。より具体的には、図３に示すように、演算処理部７１と、記憶部７２と、インターフェース部（Ｉ／Ｆ部）７３，７４とを有する。
Ｉ／Ｆ部７３は、操作部７５、ディスプレイ７６、カメラ７７とのインターフェースとして機能する。Ｉ／Ｆ部７４は、インターネット等のデータ通信網とのインターフェースとして機能する。
【００１９】
記憶部７２には、少なくとも、演算処理部７１の動作を制御するアクセス用情報読み取りプログラムおよびブラウザと、翻訳用辞書が格納されている。アクセス用情報読み取りプログラムとブラウザとが一連のプログラム（データアクセスプログラムと呼ぶ）として格納されていてもよい。アクセス用情報読み取りプログラムまたはデータアクセスプログラムは、光ディスク、磁気ディスク、半導体メモリその他の機械読み取り可能な記録媒体に記録された状態で提供される。インターネットなどのデータ通信網を介して提供される場合もある。翻訳用辞書には、複数のパターンデータが、ステップＳ１３で作成されたアクセス用情報と同じ形式のデータにそれぞれ対応付けて登録されている。パターンデータの例としては、バーコードを構成するバーパターンのデータや、文字のパターンデータ等が挙げられる。
【００２０】
演算処理部７１は、アクセス用情報読み取りプログラムおよびブラウザ（またはデータアクセスプログラム）にしたがって動作して各部を制御することにより、携帯電話機６のディスプレイ６１におけるアクセス用情報の画像表示をカメラ７７に撮像させる撮像機能と、撮像して得られた画像データをパターン解析する解析機能と、画像データの解析結果をアクセス用情報に翻訳する翻訳機能と、翻訳されたアクセス用情報を用いてＮＷストレージサーバ３に保存されたデータへアクセスする通信機能とを実現する。
なお、アクセス用情報読み取りプログラムおよびブラウザ（またはデータアクセスプログラム）がインストールされていれば、データ閲覧者個人のＰＣの他、ホテル等の施設に設置されているＰＣ、ホットスポットのＰＣ、情報家電等をアクセス用情報読み取り端末７として利用することができる。
【００２１】
次に、本実施の形態に係るデータアクセスシステムの動作について説明する。
まず、ＮＷストレージサーバ３にデータを登録する際の動作について、図４を参照して説明する。
データ登録者のＡさんがＰＣ１をインターネットを介してＷｅｂサーバ２に接続し、ＩＤとパスワード（ＰＷ）を入力してログインすると（ステップＳ１）、Ｗｅｂサーバ２はサービスメニュー画面を表示する（ステップＳ２）。
【００２２】
Ａさんがサービスメニュー画面に表示される指示にしたがい登録したいデータとその名称等の情報をＰＣ１に入力すると（ステップＳ３）、Ｗｅｂサーバ２はＮＷストレージサーバ３へ、ＰＣ１から送信されたデータとそのデータ名、Ａさんのユーザー名等の情報を転送し、データ登録要求を行う（ステップＳ４）。
このデータ登録要求に応じて、ＮＷストレージサーバ３は、受信したデータをそのデータ名、ユーザー名等の情報に対応付けて記録することにより、データ登録を行う（ステップＳ５）。データ登録が完了すると、ＮＷストレージサーバ３はＷｅｂサーバ２に対して完了通知のパケットを送信し、Ｗｅｂサーバ２は登録完了画面を表示し（ステップＳ６）、データ登録が完了したことをＡさんに確認させる（ステップＳ７）。
【００２３】
次いで、Ａさんが登録したデータにアクセスするためのアクセス用情報を表示できる電子メールをＢさんの携帯電話機６に送信する際の動作について、図５を参照して説明する。
ＡさんがＰＣ１をインターネットを介してＷｅｂサーバ２に接続し、ＩＤとパスワードを入力してログインすると、Ｗｅｂサーバ２はサービスメニュー画面を表示する。Ａさんがサービスメニュー画面に表示される「アクセス用情報を送信する」ボタンをクリックし、Ｂさんの携帯電話機６のメールアドレスとＡさんが登録したデータのデータ名をＰＣ１に入力すると（ステップＳ１１）、Ｗｅｂサーバ２はＮＷストレージサーバ３へ、ＰＣ１から送信されたメールアドレスとデータ名、Ａさんのユーザー名を転送し、アクセス用情報作成依頼を行う（ステップＳ１２）。
【００２４】
このアクセス用情報作成依頼に応じて、ＮＷストレージサーバ３は、受信したデータ名およびユーザー名からＡさんが登録したデータを特定し、受信したメールアドレスが携帯電話向けのメールアドレスであることを判別して、Ａさんが登録したデータにアクセスするためのアクセス用情報を作成し、作成されたアクセス用情報をＷｅｂサーバ２へ返信する（ステップＳ１３）。
【００２５】
アクセス用情報を受信したＷｅｂサーバ２は、アクセス用情報管理サーバ５へアクセス用情報を転送し、アクセス用情報に対する情報形式変換要求を行う（ステップＳ１４）。
この情報形式返還要求に応じて、アクセス用情報管理サーバ５は、ＮＷストレージサーバ３で作成されたアクセス用情報を携帯電話機６のディスプレイ６１に表示できるよう、携帯電話機６で表示可能な保存形式でバーコードや文字列（ＵＲＬ）、電子透かし等が入った静止画像、または所定領域の色や形状が変化していく動画像等を作成した情報に変換し、変換後のアクセス用情報をＷｅｂサーバ２に返信する（ステップＳ１５）。
【００２６】
情報形式変換後のアクセス用情報を受信したＷｅｂサーバ２は、このアクセス用情報およびＢさんの携帯電話機６のメールアドレスをメールサーバ４へ転送し、メール送信要求を行う（ステップＳ１６）。
このメール送信要求に応じて、メールサーバ４はアクセス用情報が本文に書かれた電子メールをＢさんの携帯電話機６のメールアドレスへ送信する（ステップＳ１７）。
メール送信が完了すると、Ｗｅｂサーバ２はメール送信完了画面を表示し（ステップＳ１８）、メール送信が完了したことをＡさんに確認させる（ステップＳ１９）。
【００２７】
なお、ここではＡさんがＰＣ１にデータ名を入力し、このデータ名を基にＮＷストレージサーバ３においてＡさんが登録したデータを特定する例を説明したが、Ａさんの登録したデータが１つの場合にはユーザー名のみでデータの特定が可能なので、データ名の入力は必ずしも行わなくてもよい。
【００２８】
次いで、アクセス用情報が本文に書かれた電子メールを携帯電話機６で受信してから、アクセス用情報読み取り端末７でデータにアクセスするまでの動作について、図６および図７を参照して説明する。
図６に示すように、Ｂさんの携帯電話機６に電子メールが受信されたとき（ステップＳ２１）、この電子メールを開く操作をＢさんが行うと、携帯電話機６のディスプレイ６１にＡさんが登録したデータにアクセスするためのアクセス用情報が画像表示される（ステップＳ２２）。
【００２９】
このとき、Ｂさんは、手近にあるアクセス用情報読み取り端末７でアクセス用情報読み取りプログラムを起動させる。アクセス用情報読み取りプログラムが起動すると、端末７の演算処理部７１はディスプレイ７６に「カメラで認証」ボタンを表示させる。「カメラで認証」ボタンをＢさんがクリックし、アクセス用情報解析要求が入力されると（ステップＳ３１）、演算処理部７１はカメラ７７を起動させる（ステップＳ３２）。カメラ７７の起動完了を確認すると（ステップＳ３３）、ディスプレイ７６にカメラ７７が撮像した映像とともに、「キャプチャ」ボタンを表示させる。なお、アクセス用情報読み取りプログラムの起動（ステップＳ３１）については、まず端末７をＮＷストレージサーバ３と連携するＷｅｂサーバ２に接続し、Ｗｅｂサーバ２から端末７のディスプレイ７６に「カメラで認証」ボタンを表示させ、この「カメラで認証」をクリックすることによりプログラムが起動するようにしてもよい。
【００３０】
ここで、Ｂさんは携帯電話機６のディスプレイ６１をカメラ７７にかざし、アクセス用情報の画像表示の撮像すべき領域（例えば、静止画像のバーコード、文字列（ＵＲＬ）、電子透かしや、動画像の色や形状が変化していく領域など）が端末７のディスプレイ７６に映し出されるように携帯電話機６の位置を調整する。図２に示したように撮像すべき領域を示す枠６Ｂが表示されている場合には、枠６Ｂ内全体が映し出されるように位置を調整する。
撮像すべき領域が端末７のディスプレイ７６に映し出されたら、Ｂさんは「キャプチャ」ボタンをクリックする。これにより、端末７の演算処理部７１はディスプレイ７６に映し出されている映像をキャプチャする（ステップＳ３４）。そして、得られた画像データをパターン解析し（ステップＳ３５）、ステップＳ１５で情報形式変換される前のアクセス用情報に翻訳する（ステップＳ３６）。
【００３１】
図２に示したような画像表示を撮像した場合を例に、ステップＳ３５，Ｓ３６について詳しく説明する。
まず、撮像して得られた画像データの各ドットの輝度を検出し、アクセス用情報読み取りプログラムに予め設定されている閾値と比較する。その結果、輝度が閾値より大きいドットに「１」を割り当て、輝度が閾値より小さいドットに「０」を割り当てる。この処理が施された画像データに対し、パターン解析を行う。これにより枠６Ｂを検出し、枠６Ｂ内にバーコード６Ａが存在すると認識する。そして、バーコード６Ａを構成するすべてのバーの太さと間隔を検出する。
一方、撮像して得られたバーコード６Ａの画像の大きさは、携帯電話機６のディスプレイ６１とカメラ７７との距離により変化する。また、バーコード６Ａが傾いて撮像される場合もある。このため、バーコード６Ａの画像の大きさおよび傾きを補正する必要がある。具体的には以下のようにする。まず、撮像して得られた画像データから、バーコード６Ａの大きさおよび方向を示す２つのマーク６Ｃ１，６Ｃ２を検出する。マーク６Ｃ１と６Ｃ２との距離と、マーク６Ｃ１を基準にしたマーク６Ｃ２の方向とを算出する。アクセス用情報読み取りプログラムに予め設定されているマーク６Ｃ１と６Ｃ２との距離および方向の基準を参照し、算出された距離および方向から補正量を求め、バーコード６Ａを構成するすべてのバーの太さおよび間隔の検出結果を補正する。
その後、すべてのバーの太さおよび間隔の補正値を組み合わせたパターンデータを、記憶部７２に格納されている翻訳用辞書を参照し、情報形式変換前のアクセス用情報に翻訳する。
以上により、ステップＳ３５，Ｓ３６を終了する。
【００３２】
このようにして情報形式変換前のアクセス用情報を得ると、端末７の演算処理部７１は、得られたアクセス用情報を記憶部７２に記録して保存する（ステップＳ３７）。
続いて、端末７の演算処理部７１は、ブラウザを起動し、得られたアクセス用情報をブラウザのホームページアクセス用関数の引数として引き渡す。そして、ＮＷストレージサーバ３と連携するＷｅｂサーバ２にインターネットを介して接続し、アクセス用情報を用いてデータ表示要求を行う（ステップＳ３８）。
【００３３】
図７に示すように、データ表示要求に応じて、Ｗｅｂサーバ２は、ＮＷストレージサーバ３へアクセス用情報を転送し、データ検索要求を行う（ステップＳ３９）。
データ検索要求に応じて、ＮＷストレージサーバ３は、受信したアクセス用情報を基に登録データの中からＡさんの登録データを検索し、Ｗｅｂサーバ２へ返信する（ステップＳ４０）。
Ｗｅｂサーバ２がＡさんの登録データを表示することにより（ステップＳ４１）、Ｂさんは端末７のディスプレイ７６でＡさんの登録データを閲覧することができる（ステップＳ４２）。
【００３４】
再びＢさんが同じ端末７を用いてＡさんの登録データにアクセスする場合には、ブラウザを起動し、記憶部７２に保存されているアクセス用情報をブラウザに引き渡すことにより、ステップＳ３８〜Ｓ４２が実行される。よって、一度取得したアクセス用情報を端末７の記憶部７２に保存しておくことにより、以降、ＮＷストレージサーバ３にＡさんの登録データが保存されている限り、電子メールを受信することもなく、ＵＲＬの手入力もすることなく、Ａさんの登録データにアクセスできるようになる。
【００３５】
このように、本実施の形態では、電子メールを受信できる携帯電話機６のディスプレイ６１におけるアクセス用情報の画像表示を撮像し、得られた画像データを解析してアクセス用情報を取得する機能をカメラ付きＰＣにもたせ、アクセス用情報読み取り端末７としたものである。よって、上記機能をホットスポットのＰＣ等にもたせてアクセス用情報読み取り端末７とすることにより、アクセス用情報が書かれた電子メールをＢさんが外出先において携帯電話機６で受信した場合でも、手近にある端末７でＮＷストレージサーバ３に保存されたデータにいち早くアクセスすることができる。
【００３６】
また、アクセス用情報が書かれた電子メールを携帯電話機６で受信した場合でも、Ｂさんが電子メールを端末７へ転送する必要がなくなる。
また、たとえ端末７が電子メールを受信できなくても、ＮＷストレージサーバに保存されたデータを端末７のディスプレイ７６で正しく表示、再生、利用、閲覧等することができる。
したがって、データ登録者であるＡさんが、アクセス用情報が書かれた電子メールをＢさんの携帯電話機６へ送信することをあきらめる必要がなくなる。
このように、Ａさんが電子メールをＢさんの携帯電話機６に送信できるので、Ｂさんにいち早くデータ登録の事実を知らせることができ、Ｂさんはいち早くデータ受信することができる。
【００３７】
また、Ｂさんが電子メールを受信できる携帯電話機６と、データを正常に閲覧等できる端末７とを有するものの、端末７が電子メールを受信できない場合であっても、端末７でデータにアクセスするために、Ｂさんがアクセス用情報を端末７に手入力する必要がなくなる。
したがって、アクセス用情報を容易に手入力できるように簡素化する必要がないので、アクセス用情報に対し映像画像情報に組み込めるセキュリティ技術を利用し、ＮＷストレージサーバ３に保存されたデータに対する安全性を確保することができる。
【００３８】
【発明の効果】
以上説明したように、本発明は、アクセス用情報の表示を撮像する手段と、得られた画像データを解析してアクセス用情報を取得する手段と、取得されたアクセス用情報を用いてＮＷストレージサーバに保存されたデータへアクセスする手段とをコンピュータにもたせるものである。
（１）したがって、アクセス用情報を含む電子メールを外出先においてモバイル端末で受信した場合でも、上述した手段を有する手近にあるコンピュータを用いることにより、ＮＷストレージサーバに保存されたデータにいち早くアクセスすることができる。
【００３９】
（２）また、アクセス用情報を含む電子メールをモバイル端末で受信した場合でも、電子メールを転送する必要がなくなる。
（３）また、電子メールを受信できる端末でなくても、ＮＷストレージサーバに保存されたデータにアクセスすることができる。
（４）したがって、ＮＷストレージサーバにデータを登録したデータ登録者が、アクセス用情報を含む電子メールをモバイル端末へ送信することをあきらめる必要がなくなる。
（５）このように、データ登録者が電子メールをモバイル端末に送信できるので、いち早くデータ登録の事実をデータ閲覧者に対して知らせることができ、データ閲覧者はいち早くデータ受信することができる。
【００４０】
（６）また、データ閲覧者が電子メールを受信できるモバイル端末と、データを正常に閲覧等できる固定端末とを有するものの、固定端末が電子メールを受信できない場合であっても、固定端末でデータにアクセスするために、データ閲覧者がアクセス用情報を固定端末に手入力する必要がなくなる。
（７）したがって、アクセス用情報を容易に手入力できるように簡素化する必要がないので、アクセス用情報に対し映像画像情報に組み込めるセキュリティ技術を利用し、ＮＷストレージサーバに保存されたデータに対する安全性を確保することができる。
【図面の簡単な説明】
【図１】本発明の一実施の形態に係るデータアクセスシステムの全体構成を示す図である。
【図２】携帯電話機のディスプレイにおけるアクセス用情報の画像表示の一例を示す図である。
【図３】アクセス用情報読み取り端末の構成を示すブロック図である。
【図４】ＮＷストレージサーバにデータを登録する際の各ステップを示す図である。
【図５】Ａさん（データ登録者）が登録したデータにアクセスするためのアクセス用情報を表示できる電子メールをＢさん（データ閲覧者）の携帯電話機に送信する際の各ステップを示す図である。
【図６】アクセス用情報を表示できる電子メールを携帯電話機で受信してから、アクセス用情報読み取り端末でデータにアクセスするまでの各ステップを示す図である。
【図７】図６に続く各ステップを示す図である。
【図８】ＵＲＬの一例を示す図である。
【符号の説明】
１…データ登録者（Ａさん）のパーソナルコンピュータ、２…Ｗｅｂサーバ、３…ＮＷストレージサーバ、４…メールサーバ、５…アクセス用情報管理サーバ、６…データ閲覧者（Ｂさん）の携帯電話機、６Ａ…バーコード、６Ｂ…枠、６Ｃ…マーク、７…アクセス用情報読み取り端末、６１…ディスプレイ、７１…演算処理部、７２…記憶部、７３，７４…インターフェース部、７５…操作部、７６…ディスプレイ、７７…カメラ。
【図１】
2005010867.tif 000003
【図２】
2005010867.tif 000004
【図３】
2005010867.tif 000005
【図４】
2005010867.tif 000006
【図５】
2005010867.tif 000007
【図６】
2005010867.tif 000008
【図７】
2005010867.tif 000009
【図８】
2005010867.tif 000010